(57)【特許請求の範囲】
【請求項１】
圧力媒体の流れを制御する電磁弁（１）であって、
前記圧力媒体に対する入力ポート（２．１）と出力ポート（２．２）とを有する弁ハウジング（２）と、
前記圧力媒体に対し、前記入力ポート（２．１）と出力ポート（２．２）とを接続する少なくとも１つの通路開口（３）と、
前記通路開口（３）を閉じている第１の基本位置（Ｉ）とソレノイドコイル（５）によって前記通路開口（３）を開いている第２の基本位置（ＩＩ）との間を軸に沿って移動可能な弁スライド（４）と、
電機子空間（９．１）に設けられ、前記弁スライド（４）に電磁相互作用を及ぼすポールコア（９）と、
前記ソレノイドコイル（５）が通電されていない場合には、前記弁スライド（４）を前記第１の基本位置（Ｉ）又は前記第２の基本位置（ＩＩ）に位置させるスプリング組立体（６）とを具備し、
前記スプリング組立体（６）は、第１のスプリング部（６．１）と前記第１のスプリング部（６．１）に直列に接続される第２のスプリング部（６．２）とを有し、前記第２のスプリング部（６．２）は、前記第１のスプリング部（６．１）よりも小さいバネ定数を有し、
前記ソレノイドコイル（５）を通電することにより前記第１の基本位置（Ｉ）と前記第２の基本位置（ＩＩ）との間の中間位置（ＩＩＩ）に前記弁スライド（４）を位置させるために、前記ポールコア（９）に当接することで前記第２のスプリング部（６．２）の所定のスプリング可動域を制限するスプリング可動域制限手段（７）が設けられ、
前記弁スライド（４）は、前記中間位置（ＩＩＩ）において、前記通路開口（３）の断面の少なくとも一部を開放するように構成されている
ことを特徴とする電磁弁（１）。
【請求項２】
前記弁スライド（４）は、中空円筒スライド部（４．１）を有する電機子として構成され、前記スライド部（４．１）は、前記弁スライド（４）の前記中間位置（ＩＩＩ）において前記通路開口（３）と少なくとも部分的に重なる少なくとも１つの放射状の開口（８）を有していることを特徴とする請求項１に記載の電磁弁（１）。
【請求項３】
前記弁スライド（４）は端部側の前記中空円筒スライド部（４．１）と反対側に位置する電機子部（４．２）を有することを特徴とする請求項２に記載の電磁弁（１）。
【請求項４】
前記ポールコア（９）と前記弁スライド（４）との間に前記スプリング組立体（６）が設けられ、
前記弁スライド（４）は、前記スプリング組立体（６）により、前記電磁相互作用の力の方向と反対方向に付勢される
ことを特徴とする請求項１乃至請求項３のいずれか一項に記載の電磁弁（１）。
【請求項５】
前記電機子部（４．２）は、前記第１のスプリング部（６．１）を少なくとも部分的に収容するために前記第１のスプリングの半径方向の輪郭に適合する円筒状キャビティ（４．３）を有し、前記第１のスプリング部（６．１）の一端は、前記電機子部（４．２）の前記円筒状キャビティ（４．３）の底面によって支持されていることを特徴とする請求項４に記載の電磁弁（１）。
【請求項６】
前記ポールコア（９）は、ブラインドボアホール（９．２）を有し、前記スプリング組立体（６）の第２のスプリング部（６．２）の一端は、前記ブラインドボアホール（９．２）の底面によって支持されていることを特徴とする請求項４又は請求項５に記載の電磁弁（１）。
【請求項７】
前記スプリング可動域制限手段（７）は、スプリングワッシャとして構成され、第１のスプリング部（６．１）は、前記スプリングワッシャ（７）の一方の側で支持され、前記第２のスプリング部（６．２）は、前記スプリングワッシャ（７）の他方の側で支持されていることを特徴とする請求項１乃至請求項６のいずれか一項に記載の電磁弁（１）。
【請求項８】
前記スプリングワッシャ（７）は、軸方向の長さを有する可動域制限フランジ（７．１）を有し、前記弁スライド（４）の前記中間位置（ＩＩＩ）において、前記可動域制限フランジ（７．１）の開放端（７．２）が前記ポールコア（９）に当接し、前記第２のスプリング部（６．２）のスプリング可動域を制限することを特徴とする請求項７に記載の電磁弁（１）。
【請求項９】
前記スプリング組立体（６）の前記第１のスプリング部（６．１）及び前記第２のスプリング部（６．２）は、それぞれ、第１のスプリング要素及び第２のスプリング要素として構成され、圧縮バネであることを特徴とする請求項８に記載の電磁弁（１）。
【請求項１０】
前記第２のスプリング部（６．２）をガイドする前記スプリング可動域制限手段（７）の前記可動域制限フランジ（７．１）は、前記第２のスプリング部（６．２）の内側の輪郭に適合するものであることを特徴とする請求項８又は請求項９に記載の電磁弁（１）。
【請求項１１】
前記第１のスプリング部（６．１）をガイドする前記スプリングワッシャ（７）は、前記第１のスプリング部の内側の輪郭に適合するガイドフランジ（７．３）を有することを特徴とする請求項７乃至請求項１０の何れか一項に記載の電磁弁（１）。
【請求項１２】
前記弁ハウジング（２）は、前記弁スライド（４）をガイドする軸スライドチャネル（１０．１）を有する弁体（１０）を具備し、前記少なくとも１つの放射状の通路開口（３）が端部に設けられていることを特徴とする請求項１乃至請求項１１の何れか一項に記載の電磁弁（１）。
【請求項１３】
前記弁ハウジング（２）は、前記通路開口（３）に対応する少なくとも１つの放射状の入力ポート（２．１）を有することを特徴とする請求項１乃至請求項１２の何れか一項に記載の電磁弁（１）。
【請求項１４】
前記弁ハウジング（２）は、前記中空円筒スライド部（４．１）に対応する軸方向の出力ポートを有することを特徴とする請求項１乃至請求項１３の何れか一項に記載の電磁弁（１）。
【発明の詳細な説明】
【技術分野】
【０００１】
本発明は、特許請求項１の前文に記載の圧力媒体の流れを制御する電磁弁に関する。
【背景技術】
【０００２】
自動車用に設計され、可変開口断面の原理で、通常、動作するアクティブに調整可能な減衰システムはよく知られている。このようなダンパ（緩衝器）は、油圧比例弁によって対応する衝撃減衰特性を調整し、例えば、道路の車線の表面又は様々な顧客の仕様に関して、運転状況の広い範囲に適合させることができる。比例弁は、ソレノイドコイルにより移動する可動スライドによってダンパ内の流体の流れを継続的に制御する。比例弁のオイルが流れる断面は、電磁比例弁の通電の関数として変化する。
【０００３】
特許文献１には、スライド弁としての一般的な電磁弁が開示されている。この電磁弁では、弁体のスライドチャネル内に変位可能なように配置された弁スライドは、スライド機能を受け持つ中空円筒状のスライド部分と、ポールコアと磁気動作可能な隣接する電機子部分とから構成されている。
【０００４】
この特許文献１によれば、中空円筒状のスライド部分は、放射状開口部を有し、この放射状開口部は、スライドチャネル中の弁スライドの位置の関数として、弁体の径方向通路の開口部を開放し、又は閉じる。その結果、流体は、スライドチャネルの流体入口ポートを通して中空円筒スライド部のキャビティ内に流れ、流体出口ポートとして設計されている通路開口の開口部を通して流れるようにされるか、又は、弁を通る流体の流れが遮断される。ソレノイドコイルの非通電状態では、ポールコアと弁スライド間の線形特性を発揮する圧縮ばねが予め弁スライド力をかけて基本位置に移動させ、これにより通路開口は閉鎖される。
【先行技術文献】
【特許文献】
【０００５】
【特許文献１】欧州特許出願公報  ＥＰ  １  ６５７  ４３１  Ａ１
【発明の概要】
【発明が解決しようとする課題】
【０００６】
連続的に調整可能な減衰システムに加えて、段階的に調整可能な減衰特性を有する減衰システムも知られている。しかしながら、従来技術から知られている電磁スライド弁を備えた、このタイプの減衰システムは、不十分な特性でしか実現することができなかった。そして、直線的特性を有するコイルばねが使用される場合、通路開口を解放する、又は閉じる基本設定の中央位置に弁スライドを導き、平均電流強度で電磁コイルに通電することによりこの中央位置を維持することが不可能であることが示されている。
【０００７】
したがって、本発明の目的は、圧力媒体の流れを制御するように設計され、離散段階的に減衰システムの減衰特性を調整し、特に車両ショックアブソーバ（ダンパ）に適した電磁弁を提供することである。
【課題を解決するための手段】
【０００８】
この技術的目的は、請求項１に開示された特徴を示す電磁弁によって達成される。
【０００９】
圧力媒体の流れを制御するそのような電磁弁は、
前記圧力媒体に対する入力ポートと出力ポートとを有する弁ハウジングと、
前記圧力媒体に対し、前記入力ポートと出力ポートとを接続する少なくとも１つの通路開口と、
前記通路開口を閉じている第１の基本位置とソレノイドコイルによって前記通路開口を開いている第２の基本位置との間を軸に沿って移動可能な弁スライドと、
前記ソレノイドコイルが通電されていない場合には、前記弁スライドを前記第１の基本位置又は前記第２の基本位置に位置させるスプリング組立体とを具備し、
前記スプリング組立体は、第１のスプリング部と前記第１のスプリング部に直列に接続される第２のスプリング部とを有し、前記第２のスプリング部は、前記第１のスプリング部よりも小さいバネ定数を有し、
前記ソレノイドコイルを通電することにより前記第１の基本位置と前記第２の基本位置との間の中間位置に前記弁スライドを位置させるために前記第２のスプリング部の所定のスプリング可動域を制限するスプリング可動域制限手段が設けられ、
前記弁スライドは、前記中間位置において、前記通路開口の断面の少なくとも一部を開放するように構成されていること
を特徴とする電磁弁である。
【００１０】
硬いスプリング（第１のスプリング部）と柔らかいスプリング（第２のスプリング部）との直列接続とすることで、フラットな特性曲線と急峻な特性曲線を有するスプリング組立体のスプリング特性を得ることができる。スプリング可動域制限手段により、第２のスプリング部（柔らかいスプリング）のスプリング可動域が制限されることで、結果的にスプリング組立体の折れ曲がったバネ特性曲線が得られ、バネ特性曲線の、この折れ曲がり点において柔らかいスプリングがブロックされる。関連する磁力特性曲線は、本質的に水平方向とはならないので、安定した交差をセットすることができ、スプリング特性を有する弁スライドの安定した中間位置を得ることができる。さらに、第１のスプリング部（硬いスプリング）によって引き起こされるスプリング特性曲線の急峻な上昇のおかげで、磁力の量の変動が中間位置にわずかな影響しか与えない。
【００１１】
本発明の１つの有利な実施形態によれば、弁スライドは、中空円筒スライド部を有する電機子として構成され、スライド部は、弁スライドの中間位置において通路開口と少なくとも部分的に重なる少なくとも１つの放射状の開口を有している。弁スライドを中空円筒スライド部を有する電機子として構成することにより、構造的にシンプルなものとすることができる。この点で、弁スライドは、より好適には、端部側の中空円筒スライド部と反対側に位置する電機子部を有する。
【００１２】
さらに、本発明の１つの有利な実施形態によれば、
弁スライドに電磁相互作用を及ぼすポールコアが電機子空間に設けられ、
ポールコアと弁スライドとの間にスプリング組立体が設けられ、
弁スライドは、スプリング組立体により、電磁相互作用の力の方向と反対方向に付勢される。
【００１３】
結果として、ポールコアと弁スライドとの間でスプリング組立体の省スペースを図ることができる。また、この場合、磁場特性のプロファイルは、ポールコアの適切な幾何学設計により安定した中間位置という点で影響を受ける。
【００１４】
さらに、本発明のさらなる発展は、電機子部が、第１のスプリング部を少なくとも部分的に収容するために第１のスプリングの半径方向の輪郭に適合する円筒状キャビティを有し、第１のスプリング部の一端は、電機子部の円筒状キャビティの底面によって支持されている。弁スライドの領域における第１のスプリング部の部分的な構成は、弁の省スペースを実現することができる。
【００１５】
好ましくは、ポールコアは、ブラインドボアホールを有し、スプリング組立体の第２のスプリング部の一端は、ブラインドボアホールの底面によって支持されている。
【００１６】
本発明の特に有利な実施形態によれば、スプリング可動域制限手段は、スプリングワッシャとして構成され、第１のスプリング部は、スプリングワッシャの一方の側で支持され、第２のスプリング部は、スプリングワッシャの他方の側で支持される。
【００１７】
この場合、本発明の更なる展開によれば、スプリングワッシャは、軸方向の長さを有する可動域制限フランジを有し、弁スライドの中間位置において、可動域制限フランジの開放端がポールコアに当接し第２のスプリング部のスプリング可動域を制限する。平均的な電流の強さでのソレノイドコイルの通電により、弁スライドをスプリング組立体のスプリングの力に対抗してポールコアの方向に移動させる磁力を発生させる。この場合、最初は、第２のスプリング（柔らかいスプリング）のバネ力のみが、収縮した第２のスプリング部とともに移動するスプリングワッシャが、可動域制限フランジがポールコアに衝突することでブロックされて、結果として、それ以上、スプリングの可動域を短くできなくなるまで、反対力を生成する。このようにして、弁スライドが中間位置に到達する。
【００１８】
もし、この時点で、より強力に通電すれば弁スライドの磁力は、大きくなり、弁スライドがポールコアに衝突することにより第２の基本位置に達するまで、第１のスプリング部の現在引き続く急峻な特性曲線に対応してバネ力が増加する。
【００１９】
スプリング組立体に関し、本発明の更なる発展は、スプリング組立体の第１のスプリング部及び第２のスプリング部は、それぞれ、第１のスプリング要素及び第２のスプリング要素として構成され、好ましくは、圧縮バネ又は螺旋バネである。このようにして、スプリング組立体は、一方で、異なる巻線距離の長さの２つのスプリング部を有するスプリングとして、実装され、他方で、スプリングワッシャによって互いに接続される２つの異なるスプリング要素として実装される。
【００２０】
第２のスプリング部又はより詳細には、第２のスプリング要素をガイドするスプリングワッシャの可動域制限フランジが第２のスプリング要素の内側の輪郭に適合するようにした場合には、特に有利である。また、本発明の更なる展開が、第１のスプリング部又はより詳細には、第１のスプリング要素をガイドするスプリングワッシャが、第１のスプリング要素の内側の輪郭に適合するガイドフランジを有する場合には、有利である。
【００２１】
全体的に、結果として、信頼できる方法で、スプリング組立体をガイドするためのシンプルな構造が得られる。
【００２２】
さらに、本発明の一実施形態によれば、弁ハウジングは、弁スライドをガイドする軸スライドチャネルを有する弁体を具備し、少なくとも１つの放射状の通路開口が端部に設けられる。
【００２３】
さらに、弁ハウジングは、通路開口に対応する少なくとも１つの放射状入力ポートを有する。また、弁ハウジングには、中空円筒スライド部に対応する軸方向出力ポートが形成されている。
【図面の簡単な説明】
【００２４】
【図１】第１の基本位置における弁スライドを有する本発明の実施形態としての電磁弁の概略的断面図である。
【図２】図１に示す電磁弁において、弁スライドが中間位置にある場合の概略的断面図である。
【図３】図１に示す電磁弁において、弁スライドが第２の基本位置にある場合の概略的断面図である。
【図４】図１乃至図３に係る電磁弁の動作原理を説明するためのスプリング／磁力特性曲線を示すグラフである。
【発明を実施するための形態】
【００２５】
以下、図面を参照しつつ、本発明の例示的な実施形態について詳細に説明する。
【００２６】
図１乃至図３は、同一の電磁弁１を示すものであって、これらの図において、弁スライド４の位置が異なっている。また、これらの異なる位置は、ソレノイドコイル５の通電状態が異なることによる。
【００２７】
この電磁弁１は、自動車用の減衰システムの減衰特性を調整するために使用され、３つの段階で設計され、３つの識別可能な減衰特性は、弁スライド４の位置の関数として設定することができる。したがって、第１の基本位置Ｉ（図１）では、ソレノイドコイル５に通電していないときに圧力媒体が流れることができる通路開口３が閉じられる。第２の基本位置ＩＩ（図３）では、ソレノイドコイル５の最大通電に伴い圧力媒体が障害なく流れる。一方、ソレノイドコイル５が部分的に通電される第３の位置、これは、いわゆる弁スライド４の中間位置ＩＩＩ（図２）であり、圧力媒体の流れが通路開口３で絞られる。
【００２８】
図１乃至図３に示す電磁弁１は、弁体１０、ポールコア９、ソレノイドコイル５及びカップ状の端部１１を収容するカップ形状の弁ハウジング２を有する。弁体１０には、弁スライド４を軸方向に変位可能に収容するための中央スライドチャンネル１０．１が形成され、端面の端部１１との接続が生成される。この端部１１は、ポールコア９から離れ、この端部は、弁１の出口ポート２．２を有する。
【００２９】
弁体１０は、中央部分１０．２、中央部分１０．２に対してオフセットされており、連結リング１２によって表面で切れ目なくポールコア９に接続されたリング状部分１０．３、リング状部分１０．３の反対側にあり、中央部分１０．２に対してオフセットされた付加的なリング状部分１０．４から構成されている。そして、付加的なリング状部分１０．４は、周囲に半径方向に延びるように配置された通路開口３を有している。これらの通路開口３は、スライドチャネル１０．１の周面に半径方向に取り囲む環状溝３．１により接続されている。また、通路開口３は、弁ハウジング２内に対応する入口ポート２．１に接続されている。これらの通路開口は、ハウジング２と、リング状部分１０．３の周面の端部１１と一体形成される半径方向に取り囲む環状溝により連絡する。
【００３０】
弁スライド４の端部側の終端を形成するために、端部１１が弁体１０のリング状部分１０．４の端面に当接する。この端部は、出口ポート２．２を形成するために端面に軸方向の開口部１１．１を有している。端部１１の弁スライド側の端面はソレノイドコイル５に通電していないときに第１の基本位置を規定する目的のために弁スライド４の停止部を形成する。
【００３１】
弁体１０の中央部１０．２は、弁ハウジング２により形状ロッキング的に囲まれており、その結果としてシールリングが環状溝における弁空間を封止する。
【００３２】
弁体１０、接続リング１２、及びポールコア９の、ブラインドボアホールとして形成される電機子スペース９．１は、以下のように設計されている。すなわち、スライドチャネル１０．１が接続リング１２及び電機子スペース９．１とともに一様な円筒状の空間を形成し、弁スライド４が、この円筒状の空間に沿って図１に示す第１の基本位置Ｉから図
３に示す第２の基本位置ＩＩに移動可能である。この第２の基本位置ＩＩにおいて、弁スライド４は、電機子スペース９．１に落ち込み、ポールコア９に衝突する。
【００３３】
弁スライド４は、円筒状のスライドチャネル１０．１に適合した円筒形状を有し、中空円筒状スライド部４．１と隣接する電機子部分４．２とを有する。中空円筒状スライド部４．１の内部は、ブラインドボアホールとして設計されており、そこに電機子部分４．２が接続されている。これにより、スライド要素の油圧機能と電機子部材の磁気的機能の両方が単一の部品である弁スライド４に一体化されている。
【００３４】
ソレノイドコイル５の非通電状態では、スプリング組立体６によって付勢された弁スライド４は、図１に示す第１の基本位置Ｉで、弁スライド４とポールコア９との間に配置されたスプリング組立体６によって保持される。この基本位置Ｉにおいて、弁スライド４は、端部１１に当接する。これにより弁体１０のリング状部分１０．４内において、環状溝３．１を含む通路開口３がバルブスライド４の中空円筒状スライド部４．１によって閉じられる。
【００３５】
さらに、弁スライド４のスライド部４．１には、その周囲に配置され、半径方向に延びる開口部８が複数設けられており、これらは、中空円筒状スライド部４．１の内部と弁スライド４の外部とを接続している。これらの開口８は、中空円筒状スライド部４．１の円筒状の壁にスライド部４．１の自由端面に対してわずかな軸オフセットを有して設けられている。これにより図１に示す弁スライド４の第１の基本位置Ｉにおいて、これらの開口部８は、通路開口３又はより具体的には、これらの通路開口３を接続する環状溝３．１とオーバーラップできない。
【００３６】
よく知られているように、指定された電流強度の電磁コイル５に通電することで、磁界の発生につながり、これにより弁スライド４がスプリング組立体６のばね力に抗しポールコア９の方向に、スプリング組立体６のばね力が磁場の磁力と平衡するまで移動される。
【００３７】
スプリング組立体６は、２つのスプリング部６．１及び６．２とから構成され、これらは、スプリングワッシャ７により直列に接続される。なお、スプリングワッシャ７は、第２のスプリング部６．２のスプリング可動域を制限する手段として動作する。第１のスプリング部６．１は、実質的に電機子部分４．２の中空円筒部４．３によって受け取られ、中空円筒部４．３の底面上で支持される。また、この場合、第１のスプリング要素６．１をガイドする中空円筒部４．３の直径は、第１のスプリング要素の放射方向の直径に適合される。第２のスプリング部６．２の自由端は、ポールコア９のブラインドボアホール９．２によって支えられる。
【００３８】
第１のスプリング部６．１と第２のスプリング部６．２は、それぞれ第１及び第２のスプリング要素としての圧縮螺旋スプリングにより構成されている。第２のスプリング要素６．２は、第１のスプリング要素６．１よりも小さいバネ定数を有し、第１のスプリング要素は、固いスプリングを構成し、第２のスプリング要素は、第１のスプリングと比較して、柔らかいスプリングである。
【００３９】
この配置の結果は、図４に示すバネ特性曲線Ｋ１となる。この曲線は、弁スライド４とポールコア９との間のエアギャップの関数として示されているバネ力の曲線である。そして、この曲線は、図１に対応する基本位置Ｉから始まり、エアギャップの幅の変化は、弁スライド４の弁の上昇に対応している。したがって、基本位置Ｉに対応し、バネ特性曲線Ｋ１は、大きな値のエアギャップから始まり、最少許容値Ａ１、最大許容値Ａ２の間の許容範囲Ａが基本位置Ｉを示している。
【００４０】
図４によると、このバネ特性曲線Ｋ１は、折れ曲がった曲線を示しており、柔らかい第２のスプリング要素６．２により生成される実質的に水平で直線的な部分と、固い第１のスプリング要素６．１によって生成される隣接する急峻で直線的な部分とから構成される。
【００４１】
このバネ特性曲線Ｋ１の折れ曲がり点Ｋは、図２に示す中間位置ＩＩＩに到達すると、第２のスプリング要素６．２が、スプリング可動域制限手段７によってスプリングの可動域が制限されることで生ずる。
【００４２】
スプリング可動域制限手段としてのスプリングワッシャ７は、実際のスプリングワッシャ要素７．０を有し、その上に、第１のスプリング要素６．１が電機子側に支持され、第２のスプリング要素６．２がポールコア側に支持されている。さらに、スプリングワッシャ７は、第１のスプリング要素６．１をガイドするために第１のスプリング要素の中に突出するガイドフランジ７．３を有する。さらに、可動域制限フランジ７．１が設けられており、可動域制限フランジ７．１は、第２のスプリング要素６．２の中に突出し、第２のスプリング要素のガイドし、及び、第２のスプリング要素のスプリング可動域を制限するために用いられる。
【００４３】
スプリングの可動域を制限する動作は、以下のとおりである。すなわち、ソレノイドコイル５の磁界が、弁スライド４をポールコア９の方向に移動させると、第２のスプリング要素６．２のバネ定数が小さいことにより、最初は、第２のスプリング要素が弁スライド４の動きに対してバネ力を生成し、第１のスプリング要素６．１の長さを実質的に変えることなく圧縮される。この結果、弁スライド４の移動に伴って、スプリング可動域制限手段７は、ポールコア９の方向に、可動域制限フランジ７．１がポールコア９のブラインドボアホール９．２の底面に当接するまで、移動し、その結果、折れ曲がり点Ｋが規定される。仮に、弁スライド４がポールコア９の方向に移動し続けるとすれば、第１のスプリング要素６．１は、追加的なバネ力を生成し、それにより、仮に、弁スライド４がポールコア９の方向に移動し続けるとすれば、バネ力は、図４のバネ特性曲線Ｋ１の急峻な部分に対応して増加するであろう。
【００４４】
図２に係る中間位置ＩＩＩに来るように弁スライド４の位置を制御するために、ソレノイドコイル５は、第１の電流の強さの電流が部分的に通電され、図４のグラフに示すように磁力特性曲線Ｋ２が生成される。この磁力特性曲線はバネ力特性曲線Ｋ１の急峻な部分と、最小許容Ｂ１と最大許容Ｂ２によって規定される許容値フィールドＢにおいて交叉する。２つの特性曲線Ｋ１、Ｋ２が交差する点において、バネ力と磁力がお互いに補償し、弁スライド４は、このような状況で安定した位置を占める。
【００４５】
図２の弁スライド４の位置では、開口部８と通路開口部３又はより具体的には、環状溝３．１とが重なり合い、この位置では、結果は、開口部３の断面によって画定される絞り断面であり、これを介して圧力媒体が搬送される。
【００４６】
対照的に、ソレノイドコイル５が、より高い電流強度の第２の電流強度で最大通電される場合には、図４に示す磁力特性曲線Ｋ３が生成される。この磁力特性曲線は、バネ力特性曲線Ｋ１との交点を形成しない。この構成の結果、弁スライド４が、ポールコア９によって中間位置ＩＩＩを超えて電機子４．２のポールコア側の端面がポールコア９に当接するまで引き付けられる。これにより、弁スライド４は、第２の基本位置ＩＩに達し、この領域は、図４のグラフ上で文字Ｃによってマークされている。
【００４７】
この第２の基本位置ＩＩでは、開口部８はもはや通路開口部３と通路開口を相互に接続する環状溝３．１とに接続されておらず、リング状部分１０．４の内側シェルによって覆われている。しかし、開口部８を閉鎖する必要はない。第２の基本位置（通電）の開口部８がまだ部分的に開いている場合、流れの力にとって、有利である。しかし、スライド部４．１の端面によって形成される制御エッジ４．４が通路開口部３と通路開口部３に接続する環状溝３．１とを開放し、これにより通路開口部３の断面全体が有効になる。
【００４８】
この構成により、圧力媒体は、入口ポート２．１と開口部８を通ってスライドチャネル１０．１に流れ、そこから端部１１を介して出口ポート２．２に流れる。
【００４９】
端部１１では、シェル形状のフローガイド部１３は、弁プレート１４の中央に配置されている。このフローガイド部は、出口ポート２．２の方向に圧力媒体の流れを誘導するようになっている。弁プレート１４には、出口側に、圧力ポート１４．１によって圧力媒体によって加圧された板バネ１５を有しており、これにより板バネ１５が持ち上がり、圧力媒体が出口ポート２．２を通って流れることができる。
【００５０】
複数の圧力均等化チャネル４．５は、弁スライド４の電機子部４．２に設けられている。これらの圧力均等化チャネルは、スライド部４．１のキャビティを電機子部４．２のポール側の端面に接続している。この構成により、スライド部４．１のキャビティと電機子スペース９．１との間の圧力が均等化される。
【符号の説明】
【００５１】
１…電磁弁
２…弁ハウジング
２．１…弁ハウジング２の入口ポート
２．２…弁ハウジング２の出口ポート
３…通路開口
３．１…環状溝
４…弁スライド
４．１…弁スライド４のスライド部
４．２…弁スライド４の電機子部分
４．３…電機子部分４．２の中空円筒部
４．４…スライド部４．１の制御エッジ４．４
４．５…電機子部分４．２の圧力均等化チャネル
５…ソレノイドコイル
６…スプリング組立体
６．１…第１のスプリング部、第１のスプリング要素
６．２…第２のスプリング部、第２のスプリング要素
７…スプリング可動域制限手段、スプリングワッシャ
７．１…スプリングワッシャ７の可動域制限フランジ
７．２…可動域制限フランジ７．１の自由端
７．３…スプリングワッシャ７のガイドフランジ
８…スライド部４．１の開口部
９…ポールコア
１０…弁体
１０．１…弁体１０のスライドチャネル
１０．２…弁体１０の中央部
１０．３…弁体１０のリング状部
１０．４…弁体１０のリング状部
１１…端部
１１．１…端部１１の端部側開口部
１２…接続リング
１３…フローガイド部
１４…弁プレート
１４．１…圧力ポート
１５…板バネ
【図１】
0006453862.tif 000002
【図２】
0006453862.tif 000003
【図３】
0006453862.tif 000004
【図４】
0006453862.tif 000005